(57)【要約】【課題】無線ＬＡＮの帯域を移動体通信の帯域に無線通信レイヤで追加または削除して通信可能とすること。【解決手段】基地局側に、無線ＬＡＮ経由で送信するＲＬＣ  ＰＤＵフレームをEthernetフレームに変換し、無線ＬＡＮ経由で受信したEthernetフレームをＲＬＣ  ＰＤＵフレームに変換するEthernet／ＲＬＣ  ＰＤＵ変換部１６と、ＲＬＣ  ＰＤＵフレームを移動体通信および無線ＬＡＮの通信状況に応じてその経路を振り分けるとともに、移動体通信または無線ＬＡＮの経路を通じて受信したＲＬＣ  ＰＤＵフレームを集合し送信順に整列して上位へ転送するＲＬＣ  ＰＤＵの分割または結合および経路制御部１７とを設けるとともに、端末側にも同様な構成を設けることで、ＲＬＣ  ＰＤＵフレームを無線ＬＡＮでも伝送できるようにする。【選択図】図２
2015104048.tif 000002
【特許請求の範囲】
【請求項１】
無線ＬＡＮの帯域を移動体通信の帯域に追加または削除して通信可能とする無線通信方法であって、
移動体通信の基地局機能部および無線ＬＡＮの基地局機能部を含む基地局と、移動体通信の端末機能部および無線ＬＡＮの端末機能部を含む端末とを用い、
基地局が、当該基地局の上位から転送されてきた移動体通信の端末毎の伝送単位であるＲＬＣ  ＰＤＵフレームを、移動体通信および無線ＬＡＮの通信状況に応じてその経路を振り分けるステップと、
基地局が、移動体通信経由で送信するＲＬＣ  ＰＤＵフレームはそのまま、無線ＬＡＮ経由で送信するＲＬＣ  ＰＤＵフレームはEthernetフレームに変換して端末へ送信するステップと、
端末が、移動体通信経由で受信したＲＬＣ  ＰＤＵフレームはそのまま、無線ＬＡＮ経由で受信したEthernetフレームはＲＬＣ  ＰＤＵフレームに変換して基地局から受信するステップと、
端末が、基地局から受信したＲＬＣ  ＰＤＵフレームを集合し送信順に整列して当該端末の上位へ転送するステップと、含む
ことを特徴とする無線通信方法。
【請求項２】
無線ＬＡＮの帯域を移動体通信の帯域に追加または削除して通信可能とする無線通信方法であって、
移動体通信の基地局機能部および無線ＬＡＮの基地局機能部を含む基地局と、移動体通信の端末機能部および無線ＬＡＮの端末機能部を含む端末とを用い、
端末が、当該端末の上位から転送されてきた移動体通信の端末毎の伝送単位であるＲＬＣ  ＰＤＵフレームを、移動体通信および無線ＬＡＮの通信状況に応じてその経路を振り分けるステップと、
端末が、移動体通信経由で送信するＲＬＣ  ＰＤＵフレームはそのまま、無線ＬＡＮ経由で送信するＲＬＣ  ＰＤＵフレームはEthernetフレームに変換して基地局へ送信するステップと、
基地局が、移動体通信経由で受信したＲＬＣ  ＰＤＵフレームはそのまま、無線ＬＡＮ経由で受信したEthernetフレームはＲＬＣ  ＰＤＵフレームに変換して端末から受信するステップと、
基地局が、端末から受信したＲＬＣ  ＰＤＵフレームを集合し送信順に整列して当該基地局の上位へ転送するステップと、含む
ことを特徴とする無線通信方法。
【請求項３】
無線ＬＡＮの帯域を移動体通信の帯域に追加または削除して通信可能とする無線通信システムであって、
移動体通信の基地局機能部および無線ＬＡＮの基地局機能部を含む基地局と、移動体通信の端末機能部および無線ＬＡＮの端末機能部を含む端末とで構成され、
前記基地局および端末はそれぞれ、
上位から転送されてきた移動体通信の端末毎の伝送単位であるＲＬＣ  ＰＤＵフレームを移動体通信および無線ＬＡＮの通信状況に応じてその経路を振り分けるとともに、移動体通信または無線ＬＡＮの経路を通じて受信したＲＬＣ  ＰＤＵフレームを集合し送信順に整列して上位へ転送するＲＬＣ  ＰＤＵの分割または結合および経路制御部と、
無線ＬＡＮ経由で送信するＲＬＣ  ＰＤＵフレームを無線ＬＡＮで伝送可能なEthernetフレームに変換し、無線ＬＡＮ経由で受信したEthernetフレームをＲＬＣ  ＰＤＵフレームに変換するEthernet／ＲＬＣ  ＰＤＵ変換部と、を備えた
ことを特徴とする無線通信システム。
【請求項４】
ＲＬＣ  ＰＤＵの分割または結合および経路制御部は、前記に加え、
無線ＬＡＮの通信速度および移動体通信の通信速度を取得し、当該通信速度に応じてＲＬＣ  ＳＤＵから生成するＲＬＣ  ＰＤＵフレームのサイズを、無線ＬＡＮおよび移動体通信に対して個別に決定する機能を有する
ことを特徴とする請求項３に記載の無線通信システム。
【請求項５】
ＲＬＣ  ＰＤＵの分割または結合および経路制御部は、前記に加え、
無線ＬＡＮの通信速度および移動体通信の通信速度を取得し、当該通信速度の比に応じて無線ＬＡＮまたは移動体通信のいずれかにＲＬＣ  ＰＤＵフレームを振り分ける機能を有する
ことを特徴とする請求項３または４に記載の無線通信システム。
【請求項６】
ＲＬＣ  ＰＤＵの分割または結合および経路制御部は、前記に加え、
ＲＬＣエンティティ間の制御信号を移動体通信に振り分ける機能を有する
ことを特徴とする請求項３乃至５のいずれかに記載の無線通信システム。
【請求項７】
請求項３乃至６のいずれかに記載の無線通信システムにおける無線基地局であって、
移動体通信の基地局機能部および無線ＬＡＮの基地局機能部がハードウェアとしては分かれているが、一体的に実装されている
ことを特徴とする無線基地局。
【請求項８】
請求項３乃至６のいずれかに記載の無線通信システムにおける無線基地局であって、
移動体通信の基地局機能部および無線ＬＡＮの基地局機能部がそれぞれ別々の筐体として実装され、ネットワーク経由で接続されている
ことを特徴とする無線基地局。
【発明の詳細な説明】
【技術分野】
【０００１】
本発明は、複数の無線通信網、特に移動体通信と無線ＬＡＮを無線通信レイヤで統合し、無線ＬＡＮの帯域を移動体通信の帯域に追加または削除して通信可能とする技術に関する。
【背景技術】
【０００２】
携帯電話に代表されるように、３ＧＰＰ（Third Generation Partnership Project）により規格化された３ＧやＬＴＥ（Long Term Evolution）と呼ばれる移動体通信の機器は広く用いられている。３ＧＰＰでは移動体通信の仕様を拡張するため、ＬＴＥ−Advancedやそれ以降をターゲットとした技術的な議論が活発に行われている。３ＧＰＰにおける将来の移動体通信の仕様の議論の中で、無線基地局（以下、単に「基地局」）とそのサービスエリアであるセルの構成に関して、ＨｅｔＮｅｔ（Heterogeneous Network）の概念が議論されている。
【０００３】
ＨｅｔＮｅｔは広いエリアをカバーするマクロセルと、高速であるがカバーエリアが狭いスモールセル（ピコセル等の呼称もある）とを重畳して展開する考え方である。ＨｅｔＮｅｔのための要素技術の１つとして、ＬＴＥおよびＬＴＥ−Advancedにおいては、Carrier Aggregation（非特許文献１参照）が規定されている。この技術は、複数の分割された周波数帯域を合わせて使用することで、通信速度を高速化するものであり、ＨｅｔＮｅｔ環境においては、マクロセルとスモールセルの両方の周波数を同時に使用することで帯域を増加させる方式が規定されている。つまり、マクロセルの周波数帯域に、スモールセルの帯域をアドオンする形での活用を可能とする技術である。
【０００４】
一方で、移動体通信で使用される端末は、３ＧやＬＴＥのインタフェース以外に無線ＬＡＮのインタフェースを持つものが多く、無線ＬＡＮのエリアでは、高速かつ安価に通信可能である無線ＬＡＮを選択するように通信インタフェースを切り替えることが一般的である。この場合、電波環境に応じて、いずれかの通信インタフェースを利用することで、ユーザがより良い通信手段を利用することを可能にする。ＨｅｔＮｅｔ環境においてはマクロセルのエリア内に無線ＬＡＮのエリアもスポット的に存在することになり、スモールセルと合わせて、無線ＬＡＮもＨｅｔＮｅｔ環境の一部として活用することが、帯域の有効利用とユーザ体感の向上の上で重要となる。
【０００５】
このような無線ＬＡＮのＨｅｔＮｅｔ環境での将来的な活用方法を考えると、移動体通信の帯域だけでなく、無線ＬＡＮの帯域をアドオンし、合わせて利用することで端末の通信速度と通信容量を増大させることも有効な手段と考えられる。移動体通信のスモールセルとマクロセルとの間では前述のCarrier Aggregation技術で帯域をアドオンすることが技術的に可能であるが、現状では無線ＬＡＮとは排他的な切替にとどまっており、両者を同時に使用し、帯域のアドオンを可能とする技術開発が有効である。
【０００６】
移動体通信の帯域と無線ＬＡＮの帯域を合わせて利用するリンクアグリゲーション技術としては、既にいくつかの実現方式が提案されている。例として、ＯＳＩ参照モデルのトランスポート層（レイヤ４）で実現する方式として、ＭＰＴＣＰ（Multi Path ＴＣＰ）（非特許文献２参照）があり、ＴＣＰを拡張することで、複数の経路からのリンクを統合して使用可能である。また、ＩＰ層（レイヤ３）で実現する方式としては、ＤＳＭＩＰｖ６（非特許文献３参照）がある。これはＩＰアドレスの移動管理に用いられる方式を拡張して、複数の経路のＩＰアドレスを一つのホームＩＰに結びつけることで、リンクアグリゲーションを実現するものである。
【発明の概要】
【発明が解決しようとする課題】
【０００７】
非特許文献１に示すCarrier Aggregationのように、帯域の追加または削除を無線ＬＡＮの帯域に対しても柔軟かつ高速に行えることが望ましいが、移動体通信と無線ＬＡＮという異種の無線通信網間での無線通信レイヤでのCarrier Aggregationはこれまで実現されていない。
【０００８】
上位レイヤでのリンクアグリゲーション技術である非特許文献２および非特許文献３に記載の技術では、適用できるネットワークが幅広いという利点があるものの、（１）上位のネットワーク側での対応が必要、（２）上位のプロトコルで制御するため、帯域の追加または削除のシグナリングに時間がかかる、の２点の課題がある。
【０００９】
例えば、非特許文献２に記載の技術では、ネットワーク側のサーバ毎にＭＰＴＣＰ機能への対応が必要であり、ＭＰＴＣＰ機能に対応したサーバを利用するサービスに利用が限定される。また、帯域の追加または削除を端末とサーバとの間で通信サーバ毎に交渉して形成するため、コネクション形成が煩雑である。
【００１０】
また、非特許文献３に記載の技術では、端末がＤＳＭＩＰｖ６をサポートすることとともに、ネットワーク側にＨＡ（Home Address）を管理し、アンカーポイントとなる装置の設置が必要となる。その装置と端末との間でのシグナリングによる帯域の追加または削除は、経路によっては遅延が大きく、高速な処理が行えない。また、装置自身に帯域が集中することもネットワーク側への負荷を高める原因となる。
【課題を解決するための手段】
【００１１】
本発明では、前記課題を解決するため、
無線ＬＡＮの帯域を移動体通信の帯域に追加または削除して通信可能とする無線通信方法であって、
移動体通信の基地局機能部および無線ＬＡＮの基地局機能部を含む基地局と、移動体通信の端末機能部および無線ＬＡＮの端末機能部を含む端末とを用い、
基地局が、当該基地局の上位から転送されてきた移動体通信の端末毎の伝送単位であるＲＬＣ  ＰＤＵフレームを、移動体通信および無線ＬＡＮの通信状況に応じてその経路を振り分けるステップと、
基地局が、移動体通信経由で送信するＲＬＣ  ＰＤＵフレームはそのまま、無線ＬＡＮ経由で送信するＲＬＣ  ＰＤＵフレームはEthernet（登録商標）フレームに変換して端末へ送信するステップと、
端末が、移動体通信経由で受信したＲＬＣ  ＰＤＵフレームはそのまま、無線ＬＡＮ経由で受信したEthernetフレームはＲＬＣ  ＰＤＵフレームに変換して基地局から受信するステップと、
端末が、基地局から受信したＲＬＣ  ＰＤＵフレームを集合し送信順に整列して当該端末の上位へ転送するステップと、含む
ことを特徴とする。
【００１２】
また、本発明では、前記課題を解決するため、
無線ＬＡＮの帯域を移動体通信の帯域に追加または削除して通信可能とする無線通信方法であって、
移動体通信の基地局機能部および無線ＬＡＮの基地局機能部を含む基地局と、移動体通信の端末機能部および無線ＬＡＮの端末機能部を含む端末とを用い、
端末が、当該端末の上位から転送されてきた移動体通信の端末毎の伝送単位であるＲＬＣ  ＰＤＵフレームを、移動体通信および無線ＬＡＮの通信状況に応じてその経路を振り分けるステップと、
端末が、移動体通信経由で送信するＲＬＣ  ＰＤＵフレームはそのまま、無線ＬＡＮ経由で送信するＲＬＣ  ＰＤＵフレームはEthernetフレームに変換して基地局へ送信するステップと、
基地局が、移動体通信経由で受信したＲＬＣ  ＰＤＵフレームはそのまま、無線ＬＡＮ経由で受信したEthernetフレームはＲＬＣ  ＰＤＵフレームに変換して端末から受信するステップと、
基地局が、端末から受信したＲＬＣ  ＰＤＵフレームを集合し送信順に整列して当該基地局の上位へ転送するステップと、含む
ことを特徴とする。
【発明の効果】
【００１３】
本発明によれば、移動体通信のパケットを、無線ＬＡＮ経由で透過的に送受信可能となり、ＲＬＣ  ＰＤＵフレーム単位で、無線ＬＡＮと移動体通信との間での振り分けが可能となるため、品質の安定しない無線ＬＡＮにおいても、状況に応じて高速に使用経路を選択可能となる。
【図面の簡単な説明】
【００１４】
【図１】本発明の無線通信システムの概要を示す構成図
【図２】本発明の無線通信システムにおける基地局の実施の形態の一例を示す構成図
【図３】本発明の無線通信システムにおける端末の実施の形態の一例を示す構成図
【図４】Ethernet／ＲＬＣ  ＰＤＵ変換部における処理内容を示す説明図
【図５】Ethernet／ＲＬＣ  ＰＤＵ変換部における通信先アドレスのネゴシエーション機能を示す説明図
【図６】ＲＬＣ  ＰＤＵの分割または結合および経路制御部の詳細を示す構成図
【発明を実施するための形態】
【００１５】
＜本発明の概要＞
上記のような課題に対して、本発明は、無線ＬＡＮの帯域を移動体通信の帯域に無線通信レイヤで追加または削除することを実現する技術である。すなわち、無線ＬＡＮと移動体通信との間でのCarrier Aggregationを実現するものである。
【００１６】
図１に本発明の無線通信システムの概要を示す。移動体通信内では、端末ごとの送信データは、ＲＬＣ（Radio Link Control）の機能ブロックにおいて、ＲＬＣ  ＰＤＵ（Packet Data Unit）フレームという単位で扱われるが、ＲＬＣ  ＰＤＵフレームを無線ＬＡＮで送受信可能なEthernetフレームに変換することにより、無線ＬＡＮで直接伝送することを可能とし、無線ＬＡＮと移動体通信のそれぞれの経路で伝送されたＲＬＣ  ＰＤＵフレームを受信側で集合し送信順に整列させることを特徴とする。
【００１７】
＜本発明の基本的な構成＞
図２は本発明の無線通信システムにおける基地局の実施の形態の一例を示すもので、本発明の基地局は、移動体通信の基地局機能部（以下、「移動体通信部」）１０と、無線ＬＡＮの基地局機能部（以下、「無線ＬＡＮ通信部」）２０とで構成され、これらの通信部間はEthernetのネットワーク機能での接続を想定している。この２つの通信部１０，２０は、ハードウェアとしては分かれているが一体的に実装されていることもあれば、それぞれ別々の筐体として実装され、ネットワーク経由で接続する形態であることも想定される。
【００１８】
移動体通信部１０は、ＩＰ通信制御部１１と、ＰＤＣＰ部１２と、ＲＬＣ部１３と、ＭＡＣ部１４と、ＰＨＹ部１５と、Ethernet／ＲＬＣ  ＰＤＵ変換部１６とを備え、さらにＲＬＣ部１３はＲＬＣ  ＰＤＵの分割または結合および経路制御部１７を備えている。また、無線ＬＡＮ通信部２０は、Ethernet部２１と、ＷＬＡＮ  ＭＡＣ部２２と、ＰＨＹ部２３とを備えている。
【００１９】
本基地局においては、送信すべきパケット（通常、ＩＰパケット）は、移動体通信部１０が管理する。送信すべきパケットがＩＰ通信制御部１１を介して上位層から到達すると、３ＧＰＰが規定する通常の構成では、ＰＤＣＰ（Packet Data Convergence Protocol）部１２と呼ばれる機能ブロックで、ヘッダの圧縮や暗号化処理が行われ、ＰＤＣＰのヘッダが追加されたフレームとなる。このフレームがＲＬＣ部１３に渡され、ＲＬＣ  ＳＤＵ（Service Data Unit）という単位で扱われる。このＰＤＣＰ部１２およびＲＬＣ部１３における処理は端末毎（正確には無線ベアラ毎）に独立して処理が行われる。
【００２０】
ＲＬＣ部１３では、ＲＬＣ  ＳＤＵを分割または結合し、ＲＬＣヘッダの付加を行い、ＲＬＣ  ＰＤＵというフレームを形成する。これが次のＭＡＣ（Medium Access Control）部１４で扱われる単位となり、ＭＡＣスケジューラにより、無線での送信スロットを制御される。
【００２１】
本発明では、ＲＬＣ部１３において、このＲＬＣ  ＰＤＵフレームを、Ethernetベースの通信装置である無線ＬＡＮ（無線ＬＡＮ）で送信できるようにすることで、移動体通信のパケットを無線ＬＡＮ経由で透過的に伝送できるようにする。
【００２２】
具体的な特徴として、移動体通信部１０は、「（１）Ethernet／ＲＬＣ  ＰＤＵ変換部１６」と、「（２）ＲＬＣ  ＰＤＵの分割または結合および経路制御部１７」を有し、この２つの機能が新規性のポイントとなる。
【００２３】
「（１）Ethernet／ＲＬＣ  ＰＤＵ変換部１６」は、無線ＬＡＮ経由で送信するＲＬＣ  ＰＤＵフレームを無線ＬＡＮで伝送可能なEthernetフレームに変換し、無線ＬＡＮ経由で受信したEthernetフレームをＲＬＣ  ＰＤＵフレームに変換する、詳細には上位から受け取ったＲＬＣ  ＰＤＵフレームにEthernetヘッダまたはフッタを付加してEthernetフレームにカプセル化し、EthernetフレームからEthernetヘッダまたはフッタを削除してＲＬＣ  ＰＤＵフレームにデカプセル化する機能を備える。
【００２４】
「（２）ＲＬＣ  ＰＤＵの分割または結合および経路制御部１７」は、移動体通信および無線ＬＡＮの通信状況に応じてフレームの経路を無線ＬＡＮまたは移動体通信に振り分ける機能と、無線ＬＡＮまたは移動体通信の経路から受信したＲＬＣ  ＰＤＵフレームを集合し送信順に整列する機能を備える。
【００２５】
図３は本発明の無線通信システムにおける端末の実施の形態の一例を示すもので、端末３０は、ＩＰ通信制御部３１と、ＰＤＣＰ部３２と、ＲＬＣ部３３と、ＭＡＣ部３４と、ＰＨＹ部３５と、Ethernet／ＲＬＣ  ＰＤＵ変換部３６と、ＭＡＣ部３７と、ＰＨＹ部３８とを備え、さらにＲＬＣ部３３はＲＬＣ  ＰＤＵの分割または結合および経路制御部３９を備えている。
【００２６】
ここで、Ethernet／ＲＬＣ  ＰＤＵ変換部３６は上記Ethernet／ＲＬＣ  ＰＤＵ変換部１６と基本的に同一であり、また、ＲＬＣ  ＰＤＵの分割または結合および経路制御部３９も上記ＲＬＣ  ＰＤＵの分割または結合および経路制御部１７と基本的に同一である。
【００２７】
また、ＲＬＣ部３３、ＭＡＣ部３４、ＰＨＹ部３５は移動体通信の端末機能部（「移動体通信部」）を構成し、Ethernet／ＲＬＣ  ＰＤＵ変換部３６、ＭＡＣ部３７、ＰＨＹ部３８は無線ＬＡＮの端末機能部（「無線ＬＡＮ通信部」）を構成するが、端末の場合、移動体通信部と無線ＬＡＮ通信部は通常、一体であるから、上記基地局の場合のEthernet部はEthernet／ＲＬＣ  ＰＤＵ変換部で兼用している。この際、端末側としてもＯＳからは移動体通信部が主体として見え、ＷｉＦｉの帯域の追加または削除はＲＬＣ部３３で制御される。
【００２８】
前記構成において、基地局から端末への通信は、基地局の移動体通信部１０のＲＬＣ  ＰＤＵの分割または結合および経路制御部１７が、当該基地局の上位から転送されてきた移動体通信の端末毎の伝送単位であるＲＬＣ  ＰＤＵフレームを、移動体通信および無線ＬＡＮの通信状況に応じてその経路を振り分け、移動体通信経由で送信するＲＬＣ  ＰＤＵフレームはそのままＭＡＣ部１４およびＰＨＹ部１５を介して端末３０へ送信し、無線ＬＡＮ経由で送信するＲＬＣ  ＰＤＵフレームはEthernet／ＲＬＣ  ＰＤＵ変換部１６によりEthernetフレームに変換して無線ＬＡＮ通信部２０へ送り、端末３０へ送信する。
【００２９】
端末３０では、移動体通信経由で受信したＲＬＣ  ＰＤＵフレームはそのまま、無線ＬＡＮ経由で受信したEthernetフレームはEthernet／ＲＬＣ  ＰＤＵ変換部３６によりＲＬＣ  ＰＤＵフレームに変換し、受信した全てのＲＬＣ  ＰＤＵフレームをＲＬＣ  ＰＤＵの分割または結合および経路制御部３９により集合し送信順に整列して当該端末３０の上位へ転送する。
【００３０】
また、端末から基地局への通信は、端末３０のＲＬＣ  ＰＤＵの分割または結合および経路制御部３９が、当該端末の上位から転送されてきた移動体通信の端末毎の伝送単位であるＲＬＣ  ＰＤＵフレームを、移動体通信および無線ＬＡＮの通信状況に応じてその経路を振り分け、移動体通信経由で送信するＲＬＣ  ＰＤＵフレームはそのままＭＡＣ部３４およびＰＨＹ部３５を介して基地局へ送信し、無線ＬＡＮ経由で送信するＲＬＣ  ＰＤＵフレームはEthernet／ＲＬＣ  ＰＤＵ変換部３６によりEthernetフレームに変換し、ＭＡＣ部３７およびＰＨＹ部３８を介して基地局へ送信する。
【００３１】
基地局では、移動体通信経由で受信したＲＬＣ  ＰＤＵフレームはそのまま、無線ＬＡＮ経由で受信したEthernetフレームはEthernet／ＲＬＣ  ＰＤＵ変換部１６によりＲＬＣ  ＰＤＵフレームに変換し、受信した全てのＲＬＣ  ＰＤＵフレームをＲＬＣ  ＰＤＵの分割または結合および経路制御部１７により集合し送信順に整列して当該基地局の上位へ転送する。
【００３２】
このようにして、前述した特徴を有する、基地局と端末による無線通信システムにより、無線ＬＡＮと移動体通信の統合を実現することができる。
【００３３】
図４に「（１）Ethernet／ＲＬＣ  ＰＤＵ変換部１６，３６」における処理内容を示す。移動体通信のＲＬＣ部でのフレーム単位であるＲＬＣ  ＰＤＵに、Ethernetでの伝送用のプリアンブル、ヘッダ、ＦＣＳを付加または除去することで相互変換する。また、図５に示すように、通信先アドレスのネゴシエーションを行う機能も有する。これは端末と基地局との間において、端末とEthernetのＭＡＣアドレスとの関連付けを行い、ＲＬＣ  ＰＤＵの送信時に送信元および送信先のＭＡＣアドレスを適切に設定できるようにする機能である。
【００３４】
図６にＲＬＣ部１３，３３のうち、「（２）ＲＬＣ  ＰＤＵの分割または結合および経路制御部１７，３９」の詳細な機能構成を示す。
【００３５】
「ＲＬＣ  ＰＤＵ送信経路選択機能／受信ＰＤＵの整列機能４１」は、無線ＬＡＮ通信部と移動体通信部の２つの経路へのＲＬＣ  ＰＤＵフレームの振り分け機能と、２つの経路から受信したＲＬＣ  ＰＤＵフレームを集合し、そのヘッダに記載されたシーケンス番号に従って整列して、ＲＬＣ部のＡＲＱ等の上位層機能へ受け渡す機能を司る。
【００３６】
「送信経路判別機能４２」は、送信の場合にＲＬＣ  ＰＤＵフレームを無線ＬＡＮ通信部と移動体通信部のどちらの通信部で送信すべきかの振り分けを判断する。この実装は多岐に考えられるが、一例としては、それぞれの通信部の物理的な伝送速度の比に応じて振り分ける方法がある。または、無線ＬＡＮ通信部の実効速度を取得し、可能な限り無線ＬＡＮ通信部に振り分ける方法もある。また、ＲＬＣエンティティ間の制御信号については、移動体通信部のみに振り分ける方法もある。
【００３７】
さらに「送信経路判別機能４２」の機能としては、無線ＬＡＮ通信部の通信速度を取得し、ＲＬＣ  ＳＤＵ／ＰＤＵ変換機能に対して、適切なＲＬＣ  ＰＤＵフレームのサイズを指示する機能を実装する場合もある。これにより、無線ＬＡＮが低速な場合や、誤りが大きい場合には、無線ＬＡＮで伝送するＲＬＣ  ＰＤＵフレームを小さくするなどの制御を行い、より効率が高いパケットサイズを指定することが可能となる。
【符号の説明】
【００３８】
１０：移動体通信部、１１：ＩＰ通信制御部、１２：ＰＤＣＰ部、１３：ＲＬＣ部、１４：ＭＡＣ部、１５：ＰＨＹ部、１６：Ethernet／ＲＬＣ  ＰＤＵ変換部、１７：ＲＬＣ  ＰＤＵの分割または結合および経路制御部、
２０：無線ＬＡＮ通信部、２１：Ethernet部、２２：ＷＬＡＮ  ＭＡＣ部、２３：ＰＨＹ部、
３０：端末、３１：ＩＰ通信制御部、３２：ＰＤＣＰ部、３３：ＲＬＣ部、３４：ＭＡＣ部、３５：ＰＨＹ部、３６：Ethernet／ＲＬＣ  ＰＤＵ変換部、３７：ＭＡＣ部、３８：ＰＨＹ部、３９：ＲＬＣ  ＰＤＵの分割または結合および経路制御部、
４１：ＲＬＣ  ＰＤＵ送信経路選択機能／受信ＰＤＵの整列機能、４２：送信経路判別機能。
【先行技術文献】
【非特許文献】
【００３９】
【非特許文献１】3GPP, Carrier Aggregation explained［ｏｎｌｉｎｅ］、［平成２５年１１月１日検索］、インターネット＜ＵＲＬ：http://www.3gpp.org/Carrier-Aggregation-explained＞
【非特許文献２】IETF draft, RFC6182, "Architectural Guidelines for Multipath TCP Development"［ｏｎｌｉｎｅ］、［平成２５年１１月１日検索］、インターネット＜ＵＲＬ：http://tools.ietf.org/html/rfc6182＞
【非特許文献３】IETF draft, RFC5555, "Mobile IPv6 Support for Dual Stack Hosts and Routers"［ｏｎｌｉｎｅ］、［平成２５年１１月１日検索］、インターネット＜ＵＲＬ：http://tools.ietf.org/html/rfc5555＞
【図１】
2015104048.tif 000003
【図２】
2015104048.tif 000004
【図３】
2015104048.tif 000005
【図４】
2015104048.tif 000006
【図５】
2015104048.tif 000007
【図６】
2015104048.tif 000008